(57)【特許請求の範囲】
【請求項１】
ウェブ印刷機の裁断部材胴に裁断部材を取外し可能に固定するための装置において、
裁断部材胴の円周に配置された第１の軸方向アンビル部材が設けられており、
該第１のアンビル部材に向き合って、裁断部材胴の円周に配置された第２の軸方向アンビル部材が設けられており、第１及び第２のアンビル部材が、これらのアンビル部材の間に裁断部材を収容するように構成されており、
ロックモードにおいて裁断部材を裁断部材胴にポジティブに固定しかつ、解放モードにおいて裁断部材をポジティブに解放させるように構成されたロッキング装置が設けられており、
前記第１及び第２のアンビル部材が、ロックモードにおいてこれらのアンビル部材の間に裁断部材を締め付けるように構成されており、
前記ロッキング装置が、回転可能な偏心部材を有しており、該偏心部材が、偏心部材の第１の角度位置においてロックモードを達成するように第２のアンビル部材の少なくとも一部を第１のアンビル部材に向かって押し付けるように、及び偏心部材の第２の角度位置において解放モードを達成するように第２のアンビル部材の少なくとも一部を第１のアンビル部材から離れる方向に移動させるように、構成されており、
第１の角度位置と第２の角度位置との間の偏心部材の第３の角度位置において、第２のアンビル部材の少なくとも一部が、偏心部材が第１の角度位置にある場合よりも第１のアンビル部材に近いことを特徴とする、ウェブ印刷機の裁断部材胴に裁断部材を取外し可能に固定するための装置。
【請求項２】
前記第１のアンビル部材が、裁断部材胴に対して固定されている、請求項１記載の装置。
【請求項３】
前記偏心部材が、第２のアンビル部材に隣接して配置された細長い軸方向部材である、請求項１記載の装置。
【請求項４】
前記偏心部材が、第２のアンビル部材によって規定されたスロット内に収容された偏心ディスクである、請求項１記載の装置。
【請求項５】
前記裁断部材胴がアンビル胴であり、裁断部材が裁断ゴムである、請求項１記載の装置。
【請求項６】
前記第２のアンビル部材が、第１のアンビル部材に対して可動である、請求項１記載の装置。
【請求項７】
前記第２のアンビル部材が、前記裁断部材胴に対して固定されたピボット軸を中心に旋回するように構成されている、請求項６記載の装置。
【請求項８】
ウェブ印刷機の裁断部材胴に裁断部材を取外し可能に固定するための装置において、
裁断部材胴の円周に配置された第１の軸方向アンビル部材が設けられており、
該第１のアンビル部材に向き合って、裁断部材胴の円周に配置された第２の軸方向アンビル部材が設けられており、第１及び第２のアンビル部材が、これらのアンビル部材の間に裁断部材を収容するように構成されており、
ロックモードにおいて裁断部材を裁断部材胴にポジティブに固定しかつ、解放モードにおいて裁断部材をポジティブに解放させるように構成されたロッキング装置が設けられており、
前記第１及び第２のアンビル部材が、ロックモードにおいてこれらのアンビル部材の間に裁断部材を締め付けるように構成されており、
前記ロッキング装置が、回転可能な偏心部材を有しており、該偏心部材が、偏心部材の第１の角度位置においてロックモードを達成するように第２のアンビル部材の少なくとも一部を第１のアンビル部材に向かって押し付けるように、及び偏心部材の第２の角度位置において解放モードを達成するように第２のアンビル部材の少なくとも一部を第１のアンビル部材から離れる方向に移動させるように、構成されており、さらに前記ロッキング装置が、少なくともロックモードにおいて偏心部材をポジティブに保持するための、タブ及びスロット式クリップ装置又は切欠及びばねブロック装置のうちの少なくとも一方を有しており、
第１の角度位置と第２の角度位置との間の偏心部材の第３の角度位置において、第２のアンビル部材の少なくとも一部が、偏心部材が第１の角度位置にある場合よりも第１のアンビル部材に近いことを特徴とする、ウェブ印刷機の裁断部材胴に裁断部材を取外し可能に固定するための装置。
【請求項９】
ウェブ印刷機において、
第１の軸方向アンビル部材が設けられており、該第１のアンビル部材が、印刷機の裁断部材胴の円周に配置されていてかつ裁断部材胴に対して固定されており、
第２の軸方向アンビル部材が設けられており、該第２の軸方向アンビル部材が、第１のアンビル部材に向かい合って裁断部材胴の円周に配置されていてかつ、裁断部材胴に対して固定されたピボットを中心に旋回するように構成されており、第１及び第２のアンビル部材が、裁断部材を収容するように構成された軸方向の溝を規定しており、
回転可能な偏心部材が設けられており、該偏心部材が、偏心部材の第１の角度位置において裁断部材を第１のアンビル部材と第２のアンビル部材との間に締め付けるために第２のアンビル部材の少なくとも一部を第１のアンビル部材に向かって押し付けるように、及び偏心部材の第２の角度位置において裁断部材を解放するために第２のアンビル部材の少なくとも一部を第１のアンビル部材から離れる方向に移動させるように、構成されており、
第１の角度位置と第２の角度位置との間の偏心部材の第３の角度位置において、第２のアンビル部材の少なくとも一部が、偏心部材が第１の角度位置にある場合よりも第１のアンビル部材に近いことを特徴とする、ウェブ印刷機。
【請求項１０】
ウェブ印刷機の裁断部材胴に裁断部材を取外し可能に固定するための装置において、
裁断部材胴の円周に配置された第１の軸方向アンビル部材が設けられており、
該第１のアンビル部材に向き合って、裁断部材胴の円周に配置された第２の軸方向アンビル部材が設けられており、第１及び第２のアンビル部材が、これらのアンビル部材の間に裁断部材を収容するように構成されており、
ロックモードにおいて裁断部材を裁断部材胴にポジティブに固定しかつ、解放モードにおいて裁断部材をポジティブに解放させるように構成されたロッキング装置が設けられており、
前記第１及び第２のアンビル部材が、ロックモードにおいてこれらのアンビル部材の間に裁断部材を締め付けるように構成されており、第２のアンビル部材が第１のアンビル部材に対して可動であり、第２のアンビル部材が、第２のアンビル部材の少なくとも一部を第１のアンビル部材に向かって移動させかつ第２のアンビル部材の第１の角度位置においてロックモードを達成するために、及び第２のアンビル部材の第２の角度位置において解放モードを達成するために、裁断部材胴に対して固定されたピボット軸を中心にして回転するように構成されており、
第１の角度位置と第２の角度位置との間の偏心部材の第３の角度位置において、第２のアンビル部材の少なくとも一部が、偏心部材が第１の角度位置にある場合よりも第１のアンビル部材に近いことを特徴とする、ウェブ印刷機の裁断部材胴に裁断部材を取外し可能に固定するための装置。
【発明の詳細な説明】
【０００１】
【発明の属する技術分野】
本発明は、該してウェブ印刷機、特にウェブ印刷機における折り機の胴に裁断部材を固定することに関する。
【０００２】
【従来の技術】
ウェブ印刷機は、紙等の材料の連続的なウェブを印刷する。次いで、連続的なウェブは、折り機の裁断ユニットにおいて裁断され、折丁を形成し、この折丁は次いで折り畳まれるか又は出力されることができる。ウェブは通常、刃付き胴とアンビル胴とによって形成されたニップにおいて、アンビル胴によって支持された裁断ゴム又はその他のアセンブリと協働する、刃付き胴によって支持されたブレードによって裁断される。
【０００３】
欧州特許出願第１１３６４１１号明細書（これは、共同で所有された米国特許出願番号第０９／５３３６８５号に対応し、この米国出願は引用によりここに組み込まれる）は、第１の切込みを形成するようにウェブを部分的に裁断する、第１の裁断胴及び刃受け胴を有する折り装置を開示している。部分的に裁断されたウェブは、搬送テープの間を第２の裁断胴及び刃受け胴まで案内され、これらの第２の裁断胴及び刃受け胴が、第１の切り込みの間でウェブを裁断して折丁を形成する。搬送テープは、第２の裁断胴及び刃受け胴に設けられた、軸方向に間隔を置いて配置された溝を通過する（図６及び図７参照）。
【０００４】
米国特許第５２５９２８３号明細書は、折り機アセンブリのための横裁ち装置を示している。裁断溝胴は溝ストリップアセンブリを有しており、この溝ストリップアセンブリは、裁断溝部材と、裁断過程の間に生じる力を吸収するための圧力ばね部材とを有している。圧力ばね部材は、弾性的なエレメントであってよいか（図1及び図３参照）、又は圧力ばねによって裁断溝部材に向かって押し付けられた黄銅ボディであってよい（図２参照）。溝ストリップアセンブリは、裁断溝胴における溝にきつく締め付けられており、簡単に取り外すことができないという欠点を有する。
【０００５】
ブレード及び裁断ゴムは磨耗し、定期的に交換されなければならない。典型的な従来の装置では、ブレード交換作業はしばしば時間がかかりかつ困難であり、ボルト、ねじ等の弛緩及び緊定を必要とする。裁断ゴムは、アンビル胴に機械加工された軸方向溝内に、圧縮されながら密に保持されていてよい。これまで、古い裁断ゴムの交換は、工具を用いて裁断ゴムを軸方向溝からてこにより取り出し、次いで同時に新たな裁断ゴムを湾曲させて、刃受け胴における軸方向溝に取り付けることを必要としていた。欧州特許出願第１１３６４１１号明細書に開示されたシステムの場合、裁断ゴムに形成された溝を、裁断ゴムを挿入する曲げ及び取付けの方法を使用して、胴ボディに形成された軸方向に間隔を置かれたテープ溝と整合させることが困難であることが分かった。しばしば裁断ゴムは取り外されて再整列させられなければならず、このことは裁断ゴムに対する損傷を生じるおそれがある。
【０００６】
幾つかの従来のシステムにおいては、裁断ゴム又はブレードは、裁断胴又はアンビル胴から取外し可能なアセンブリに収容されている。例えばＥＭＴ  InternationalのQuick Set Bar ＴＭ は、バーによって支持されたブレードが迅速かつ容易に交換されることを可能にするパーフォレーションバーである。しなしながら、その間にブレードが締め付けられたアンビルを有するバー全体が、裁断胴から取り外されなければならない。ブレードのみを取り外すことは示されていない。
【０００７】
【特許文献１】
欧州特許出願第１１３６４１１号明細書
【特許文献２】
米国特許第５２５９２８３号明細書
【０００８】
【発明が解決しようとする課題】
したがって、本発明の課題は、従来技術の欠点を改良して、ウェブ印刷機の裁断部材胴に対して裁断ブレード及び裁断ゴムを容易に着脱できるようにすることである。
【０００９】
【課題を解決するための手段】
本発明は、ウェブ印刷機の裁断部材胴に裁断部材を取り外し可能に固定するための装置を提供する。この装置は、裁断部材胴の円周に配置された第１の軸方向アンビル部材と、第１のアンビル部材に向かい合って、裁断部材胴の円周に配置された第２の軸方向アンビル部材とを有している。第１及び第２のアンビル部材は、これらの間に裁断部材を収容するように構成されている。ロックモードにおいて裁断部材胴に裁断部材を確実に固定し、解放モードにおいて裁断部材を確実に解放するためのロッキング装置が設けられている。
【００１０】
第１及び第２のアンビル部材は、ロックモードにおいてこれらのアンビル部材の間に裁断部材を締め付けるように構成されていてよい。第１のアンビル部材は、裁断部材胴に対して固定されていてよい。第２のアンビル部材は、第１のアンビル部材に対して可動であってよい。さらに、第２のアンビル部材は、裁断部材胴に対して固定されたピボットを中心に旋回するように構成されていてよい。
【００１１】
ロッキング装置は偏心部材を有しており、この偏心部材は、偏心部材の第１の角度位置においてロックモードを達成するために第２のアンビル部材の少なくとも一部を第１のアンビル部材に向かって押し付けるために、また、ロックモードにおいて確実なロックを提供するために偏心部材の第２の角度のオーバートグル位置において第２のアンビル部材の少なくとも一部を第１のアンビル部材に向かって押し付けるために、また、偏心部材の第３の角度位置において解放モードを達成するために第２のアンビル部材の少なくとも一部を第１のアンビル部材から離れる方向に移動させるために構成されている。偏心部材は、第２のアンビル部材に隣接して配置された細長い軸方向部材であってよい。さらに、偏心部材は、第２のアンビル部材によって規定されたスロットに収容された偏心ディスクであってよい。
【００１２】
さらに、ロッキング装置は回転可能な偏心部材を有していてよく、この偏心部材は、偏心部材の第１の角度位置においてロックモードを達成するために第２のアンビル部材の少なくとも一部を第１のアンビル部材に向かって押し付けるために、また、ロックモードにおいてポジティブなロックを提供するために偏心部材の第２の角度のオーバートグル位置において第２のアンビル部材の少なくとも一部を第１のアンビル部材に向かって押し付けるために、また、偏心部材の第３の角度において解放モードを達成するために第２のアンビル部材の少なくとも一部を第１のアンビル部材から離れる方向に移動させるために、構成されている。
【００１３】
第２のアンビル部材は、第１のアンビル部材に向かい合って第１のテーパした面を有していてよい。テーパ部材が設けられており、このテーパ部材は、第１のテーパ面に隣接して配置された第２のテーパ面を有し、ロックモードにおいて第２のアンビル部材を第１のアンビル部材に向かって押し付けるために軸方向に並進するように構成されている。
【００１４】
裁断部材胴は、テーパした軸方向側部を有する溝を規定していてよく、第２のアンビル部材は、第１のアンビル部材に向かい合ったテーパした面を有していてよい。第２のアンビル部材は、溝に収容されていてよく、この場合、テーパした面が、テーパした軸方向側部に隣接していて、ロックモードにおいて第２のアンビル部材を第１のアンビル部材に押し付けるために、半径方向内方に可動である。
【００１５】
第１及び第２のアンビル部材の少なくとも一方が、裁断部材胴に定置に取り付けられていてよい。第１及び第２のアンビル部材の少なくとも一方が、裁断部材胴と一体的に形成されていてよい。
【００１６】
ロッキング部材は、ロックモードにおいて締め付けを達成するように第２のアンビル部材を第１のアンビル部材に向かって押し付けるために膨張するように構成された、膨張可能なシール装置を有していてよい。膨張可能なシール装置はさらに、解放モードを達成するように第２のアンビル部材を第１のアンビル部材から離れる方向に移動させるように、収縮するように構成されている。さらに、ロッキング装置は、ロックモードを達成するために裁断部材を半径方向内方に押し付けるために、裁断部材の少なくとも１つの面に隣接して真空を提供するように構成された真空装置を有していてよい。
【００１７】
ロッキング装置は、裁断部材によって規定された長手方向ボアに収容された細長い捕捉部材と、この捕捉部材のそれぞれの端部において捕捉部材を裁断部材胴に取外し可能に取り付けるように構成された、第１及び第２のばねクリップ部材とを有していてよい。さらに、ロッキング装置は、裁断部材によって規定された横方向溝に収容された、取外し可能なクリップ装置を有していてよく、このクリップ装置は、ロックモードを達成するために裁断部材を裁断部材胴に定置に取り付け、また解放モードを達成するために取り外されるように構成されている。
【００１８】
裁断部材胴はアンビル胴であってよく、裁断部材は裁断ゴムであってよい。さらに、裁断部材胴は裁断胴であってよく、裁断部材は裁断ブレードであってよい。
【００１９】
本発明はウェブ印刷機も提供する。ウェブ印刷機は、ウェブ印刷機の裁断部材胴の円周に配置されていてかつ裁断部材胴に対して固定された第１の軸方向アンビル部材と、第１のアンビル部材と向かい合って裁断部材胴の円周に配置されていてかつ裁断部材胴に対して固定されたピボットを中心に旋回するように構成された第２の軸方向アンビル部材とを有している。第１及び第２のアンビル部材は、裁断部材を収容するように構成された軸方向溝を規定している。回転可能な偏心部材が設けられており、この偏心部材は、偏心部材の第１の角度位置において第１のアンビル部材と第２のアンビル部材との間に裁断部材を締め付けるために第２のアンビル部材の少なくとも一部を第１のアンビル部材に向かって押し付けるように、また、ロックモードにおいてポジティブなロックを提供するために偏心部材の第２の角度のオーバートグル位置において第２のアンビル部材の少なくとも一部を第１のアンビル部材に向かって押し付けるように、また、偏心部材の第３の角度位置において裁断部材を解放するために第２のアンビル部材の少なくとも一部を第１のアンビル部材から離れる方向に移動させるように、なっている。
【００２０】
本発明は、ポジティブロッキング及びポジティブ迅速解放能力を提供し、これは、折り機の胴における裁断ゴム又はその他の裁断部材が、迅速に、正確に、不当なオペレータ主観性なしに確実に交換又は調整されることを可能にする。
【００２１】
本発明を、添付の図面に関連した典型的な実施例に基づき説明する。
【００２２】
【発明の実施の形態】
図１〜図４を参照すると、裁断部材胴に裁断部材を固定するための、本発明による装置の実施例が示されている。図示した実施例の場合、固定装置１０は、定置のアンビル４と、可動なアンビル６と、アンビル胴３０に裁断ゴム２を固定するためのロッキングロッド８とを有している。裁断ゴム２は、例えばポリウレタン等の適切な弾性的な材料から形成されていてよい。本発明の別の実施例では、例えば裁断溝又は裁断ブレード等の別の裁断部材が、折り装置のアンビル胴又は刃付き胴又はその他の胴に固定されていてよい。ロッキングロッド８により、装置１０は、裁断ゴム２がアンビル胴３０に固定されているロックモードと、裁断ゴム２がアンビル胴３０から容易に取外し可能である解放モードとを占めることができる。
【００２３】
可動なアンビル６は、アンビル６が、図１に示したようなロックモード、又は図２に示したような解放モードを占めることができるように、ピボット軸１２を中心に旋回する。ロックモードにおいて、裁断部材２は、可動なアンビル６と定置のアンビル４との間に締め付けられている。解放モードにおいては、可動なアンビル６は、アンビルの間から裁断部材２を解放させるために、定置のアンビル４から離れる方向に回転させられている。ロックモードは、裁断ゴム２がアンビル胴３０にポジティブに固定されている状態であるのに対して、解放モードは、裁断ゴムの容易な配置換え又は取外しを可能にするように、アンビル胴３０からポジティブに解放されている状態である。
【００２４】
ロッキングロッド８は、概して円筒状のロッドエレメントであってよく、ロッキングロッドは、偏心部材又はカム部材５を有していて、偏心部材５を２つの角度位置に９０゜だけ相対的に回転させるようにピボット軸１１を中心に回転させられることができる。偏心部材５は、それぞれ、面７と、面９と、面１４とを有している。面７は、面９よりも、ピボット軸１１から半径方向により離れているに対し、面１４は、面７よりも、ピボット軸１１から半径方向に離れている。ロッキングロッド８が図１に示したように配置されている場合、面７は可動なアンビル６に隣接して配置され、この場合、可動なアンビル６の面１３が裁断ゴム２に隣接し、裁断ゴムを定置のアンビル４に押し付ける。この場合、ロッキングロッド８のロックモードにおいて、裁断ゴム２は、可動なアンビル６の面１３と定置のアンビル４との間にポジティブに締め付けられる又はロックされる。可動なアンビル６の面１３は、裁断ゴム２における可動なアンビル６の食い付き効果を高めるために、プラズマ溶射粗面化によって粗くなっている又は凹凸を有する。ロッキングロッド８が図２に示したように回転させられると（図１に示した位置から９０゜）、面９は可動なアンビル６に隣接して配置され、可動なアンビルが、定置のアンビル４から離れる方向に移動する。この解放モードにおいて、裁断ゴム２はアンビル胴３０から容易に取外し可能である。ロッキングロッド８がロックモードと解放モードとの間で回転させられる場合、固定装置１０は、面１４が可動なアンビル６に隣接して配置される“オーバートグル”位置（図示せず）を通って移行する。このオーバートグル位置は、ポジティブロッキング効果を提供し、これにより、ロッキングロッド８は解放モードに位置するか又はポジティブにロックモードに位置する。
【００２５】
ロッキングロッド８のこの９０゜の回転は、装置１０をポジティブロックモードからポジティブ解放モードへ迅速に変化させる。ボルト、ねじ等のトルク負荷に関するオペレータの主観的判断は必要ない。装置は、ポジティブにロックモード又は解放モードに位置する。ロックモードから解放モードへの変更は、“迅速解放”形式で迅速に行われる。裁断ゴム２は、その全長に沿って均一に負荷又は保持されるか、又は裁断ゴムの大部分は、裁断ゴムを固定するためにアンビル胴３０に機械加工された溝によって提供されるであろう剛性に近付く。本発明により、裁断ゴム２は、裁断ゴムにほとんど又は全く損傷を与えることなく、アンビル胴３０に対して容易にかつ正確に配置されることができる。これにより、アンビル胴３０において軸方向に間隔を置いて配置された溝を通過する搬送テープを利用する折りシステムにおいて、裁断ゴム２は容易に配置されてよく、これにより、裁断ゴムにおける対応する溝が、アンビル胴の溝と整合させられる。付加的に、裁断ゴム２は容易に解放される。
【００２６】
偏心部材５の特定の構成に応じて、ロッキングロッド８のロックモードと解放モードの位置の間に９０゜ではない角度差が設けられていてよい。
【００２７】
図３及び図４を特に参照すると、本発明による装置の実施例は、側部部材１８と端部キャップ１６とを有している。可動なアンビル６とロッキングロッド８とは、端部キャップ１６において旋回し、かつ端部キャップ１６によって支持されている。定置のアンビル４と共に、側部部材１８と端部キャップ１６とは一体的なアセンブリ２０を形成している。一体的なアセンブリ２０は、例えばボルトを使用してアンビル胴３０のチャネル３２に固定されてよい。一体的なアセンブリ２０は、裁断ゴム２の高さ、整合等に関して、及びロッキングロッド８及び可動なアンビル６の力及び動作に関して、工場出荷時調整されていてよい。本発明の別の実施例においては、定置のアンビル４はアンビル胴３０の一体的な部分であってよく、この場合、可動なアンビル６及びロッキングロッド８は、例えばアンビル胴３０における個々の軸を中心に旋回する。
【００２８】
図５ａ及び５ｂは、本発明の個々の実施例によるロッキングロッドを所定の位置に保持するための装置を示している。図５ａ及び５ｂに示された実施例は、図１〜図４に関して上に説明された実施例に、それぞれ異なる形式でポジティブロッキング効果を提供する。すなわち、図５ａ及び５ｂに示した実施例において、ロッキングロッド８は、前述のように、オーバートグルポジティブロッキングのための面１４を有していても、有していなくてもよい。図５ａに示した実施例においては、ロッキングロッド８には、ロッドの端部にタブ２２が設けられている。タブ２２は、クリップ装置２６のスロット２４に挿入され、これにより、ロッキングロッド８をロックモードにおいて堅く保持し、ロッキングロッド８は、クリップ装置２６によってロックモードから回転することを防止されている。前述のように、ロックモードにおいては、裁断ゴム２が、可動なアンビル６と定置のアンビル４との間に締め付けられる。クリップ装置２６は、ロッキングロッド８から容易に解除できるようにばね負荷されており、これにより、ロッキングロッドは、裁断ゴム２がアンビル６及び４から解放される解放モードに回転させられる。本発明の別の実施例においては、クリップ装置は、例えばボルトを使用して所定の位置に固定されていてよい。
【００２９】
図５ｂに示した実施例においては、ロッキングロッド８には切欠２８が設けられており、この切欠は、図５ａに示した実施例のように、ロッキングロッドの回転を阻止しかつロッキングロッドをロックモードに保持するために、ばねブロック３２と合致するように設計されている。ばねブロック３２はばね力に抗して引っ込められ、ロッキングロッド８との係合を解除され、これにより、ロッキングロッド８を解放モードへ回転させることができる。
【００３０】
図６は、本発明の実施例を示しており、この場合、ロッキングロッド８には、ロッキングロッドの位置をオペレータに示すための、平らな面３４及び３６が設けられている。図６に示したように面３４が上方に面している場合は、ロッキングロッド８はロックモードにある。これに対して、面３６が上方に面するようにロッキングロッド８が９０゜だけ回転させられると、ロッキングロッド８は解放モードにある。面３４及び３６は、ロッキングロッド８の単純でかつ有効な位置表示を提供するために、例えばそれぞれ赤と緑とに着色されてよい。
【００３１】
図７ａ及び７ｂを参照すると、本発明の別の実施例が示されている。図示したロックモードにおいては、裁断ゴム２はアンビル胴３０の可動なアンビル６と面４２との間に締め付けられている。本発明の別の実施例においては、面４２は、アンビル胴３０に例えばボルト留めされた、別個の定置のアンビルに設けられていてよい。偏心ディスク又はカム部材４６は、可動なアンビル６に設けられた切欠４４に配置されており、アンビル胴３０に固定された個々のピボット４７を中心に回転可能である。図１〜図４を参照に前述した偏心部材５と同様に、偏心ディスク４６は、ロックモード及び解放モードを達成するために、個々の軸４７を中心に回転させられる。示されたロックモードにおいては、可動なアンビル６が裁断ゴム２に対して押し付けられ、アンビル胴３０の面４２に対して裁断ゴムを締め付ける。解放モードにおいては、可動なアンビル６は裁断ゴム２から引き離され、裁断ゴムは、アンビル４と６との間から解放され、自由に取り外される。
【００３２】
図８は、本発明の実施例を示しており、この場合、図示したようなロックモードを達成するために、アンビル胴３０の可動なアンビル６と面４２との間に裁断ゴム２を固定するための締付力を提供するために、締付けボルト部材５２が使用されている。締付けボルト部材は、可動なアンビル６の個々のボア５４に配置されており、アンビル胴３０の面５６に係止させられている。締付けボルト部材５２を緊定することにより、可動なアンビル６は面４２に向かって移動させられ、これにより、装置をロックモードに配置する。当業者によって理解されるように、締付けボルト部材は、可動なアンビル６を面４２に向かって押し付けるためのあらゆる適切なボルトであってよい。締付けボルト部材５２を弛緩させることによって、可動なアンビル６は面４２から離れる方向に移動させられ、これにより、装置を解放モードに配置する。
【００３３】
図９ａ及び９ｂを参照すると、裁断ゴム２を固定するための締付力を提供するためにテーパバー部材６２及び６４を使用する本発明の別の実施例が示されている。ねじ山付きロッド６３が、可動なテーパバー部材６２の対応するねじ山付きボア６７に収容されている。ロック可能なボルト６６を使用してロッド６３を時計回り又は逆時計回りに回転させることにより、可動なテーパバー部材６２が、図９ａに矢印Ｌ及びＲで示されたそれぞれの方向に並進する。可動なテーパバー部材６２がＬの方向に移動する場合、テーパバー部材６２のテーパした側６７が、定置のテーパバー部材６４の対応するテーパした側６１と相互作用することにより、定置のテーパバー６４を裁断胴２へ押し付ける。これにより、裁断ゴムは、ロックモードにおいてアンビル胴３０の面４２と定置のテーパバー部材６４との間に締め付けられる。可動なテーパバー部材６２がＲの方向に移動すると、定置のテーパバー部材６４を緩め、裁断ゴム２を解放し、解放モードを達成する。Ｒの方向での可動なテーパバー部材６２の移動を可能にするために、空所８１が設けられている。可動なテーパバー部材６２の移動を制限しかつそれぞれポジティブなロックモード及び解放モードを達成するために、ストッパ６８及び６９、又はその他のタイプの停止部材が設けられていてよい。図９ｂに示したように、可動なテーパバー部材６２は、アンビル胴にテーパバー部材を保持するために、定置のテーパバー部材６４及びアンビル胴３０における対応するスロットにおいて摺動するタブ６５を有している。ロックモードにおいて可動なテーパバー部材６２を固定するために、ロック可能なボルト６６がロックされる。
【００３４】
図１０は本発明の実施例を示しており、この場合、裁断ゴム２を固定するためにくさび部材７1が使用されている。くさび部材７１は、ボルト７２の動作によって半径方向内方へ押し付けられる、テーパしたバーである。アンビル胴３０の直線的なテーパした面又は湾曲した面７４により、くさび部材７２は裁断ゴム２に力を加え、これにより、ロックモードにおいてアンビル胴の面４２に対して裁断ゴムを締め付ける。ボルト７２を弛緩させることにより、くさび部材７２は半径方向外方へ移動し、これにより、裁断ゴム２への力を解放し、裁断ゴムが取外し可能となる解放モードを達成する。
【００３５】
図１１を参照すると、本発明の別の実施例において、裁断ゴム２を所定の位置に締め付けるために、膨張可能なシール８２が使用されている。膨張可能なシール８２は、アンビル胴３０の面４２に向かって裁断ゴム２を押し付けるために、流体圧力源（図示せず）を使用して膨張させられてよく、これにより、裁断ゴムが膨張可能なシールと面４２との間に堅く締め付けられるロックモードを達成する。裁断ゴム２が解放される解放モードを達成するために、膨張可能なシール８２は収縮させられる。膨張及び収縮の予設定は、ロックモード及び解放モードのための、膨張可能なシールの膨張された又は収縮されたポジティブな位置を達成するために設けられていてよい。アンビル胴３０に設けられた溝３１内に膨張可能なシールを閉鎖するために、ボルト８６によって固定されたカバープレート８４が設けられている。膨張可能なシール８２は、あらゆる適切な膨張可能なシール装置、例えばSeal Master ＴＭ ブランドの膨張可能なシールであってよい。
【００３６】
図１２は、本発明の実施例を示しており、この場合、裁断ゴム２はキーパ部材９２を使用して所定の位置に保持されている。この場合、裁断ゴム２は、アンビル胴に設けられた個々の溝（図示せず）に対応する、軸方向に間隔を置かれた溝３を有している。溝３は、前記欧州特許出願第１１３６４１１号明細書に開示された折り機におけるように、１つ又は２つ以上の個々の搬送テープ９４のための隙間を提供している。キーパ部材９２は溝３に嵌合して、アンビル胴３０に裁断ゴム２を捕捉し、これにより、ロックモードを達成する。キーパ部材９２は、ねじ、ボルト等を使用してアンビル胴３０に固定されていてよい。キーパ部材９２は、解放モードを達成するために取り外されてよい。個々の溝３に、裁断ゴム２に沿って軸方向に間隔を置いて複数のキーパ部材９２が設けられていてよい。
【００３７】
図１３を参照すると、本発明の実施例が示されており、この場合、裁断ゴム２は、真空装置１０２を使用してアンビル胴３０の所定の位置に固定されている。裁断ゴム２は、アンビル胴３０の溝３１内に配置されている。真空装置１０２は、裁断ゴム２と、溝３１の底部４５、側部４２及び側部４３のうちの１つ又は２つ以上との間に真空を生ぜしめ、これにより、ロックモードにおいて裁断ゴムを溝３１内に堅く保持する。ロックモード及び解放モードのためのポジティブな真空圧力レベル及び非真空圧力レベルを達成するために、真空予設定が提供されてよい。真空装置１０２によって加えられる真空を除去することによって、解放モードが達成される。溝３１は例えばアンビル胴３０に機械加工されていてよい。真空装置は、裁断ゴム２と溝３１との間に真空を生ぜしめるための真空ポンプ又はあらゆる適切な装置であってよい。
【００３８】
図１４を参照すると、本発明の実施例が示されており、この場合、裁断ゴム２は、ばねクリップ１１４と組み合わされたロッド１１２を使用してアンビル胴３０に固定されている。ロッド１１２は、裁断ゴム２に設けられた軸方向ボア１１３内に配置されている。裁断ゴム２は、アンビル胴３０に設けられた溝３１内に配置されている。ロッド１１２の端部１１５は、図示したようにばねクリップ1４に固定されており、裁断ゴム２を溝３１内の所定の位置に堅く保持しかつロックモードを達成する。ばねクリップ１１４は、ばねで、又はその他の形式で弾性的にアンビル胴３０に固定されており、これにより、ばねクリップは、端部１１５から離れる方向に引っ込められ、解放モードを達成する。
【００３９】
本発明は上に単に例として説明されており、発明の範囲において詳細の変更がなされることができることは当然理解されるであろう。
【図面の簡単な説明】
【図１】ロックモードにおいて本発明に実施例による裁断部材胴に裁断部材を取外し可能に固定するための装置を示す概略的な横断面図である。
【図２】解放位置における図１の装置を示す概略的な横断面図である。
【図３】図１の装置の斜視図である。
【図４】図１の装置を分解して示す斜視図である。
【図５】ａ及びｂは、本発明のそれぞれの実施例によるロッキングロッドを所定の位置にポジティブに保持するための装置を示す斜視図である。
【図６】本発明の実施例による位置表示装置を有するロッキングロッドを示す斜視図である。
【図７】ａは、可動なアンビルの切欠に設けられた偏心ディスク部材を使用する本発明の別の実施例による装置を示す斜視図であり、ｂはａに示した装置の可動なアンビル部分を詳細に示す斜視図である。
【図８】緊定ボルト部材を使用する本発明のさらに別の実施例による装置を示す斜視図である。
【図９】ａは、テーパバー部材を使用する本発明のさらに別の実施例による装置を示す斜視図であり、ｂは、図９ａに示した装置の横断面図である。
【図１０】くさび部材を使用する本発明のさらに別の実施例を示す概略的な横断面図である。
【図１１】膨張可能なシールを使用する本発明のさらに別の実施例の横断面図である。
【図１２】キーパ部材を使用する本発明のさらに別の実施例を分解して示す斜視図である。
【図１３】真空装置を使用する本発明のさらに別の実施例を示す横断面図である。
【図１４】ばねクリップ装置を使用する本発明のさらに別の実施例を示す概略的な斜視図である。
【符号の説明】
２  裁断ゴム、  ４  定置のアンビル、  ５  カム部材、  ６  可動なアンビル、  ７  面、  ８  ロッキングロッド、  ９  面、  １０  固定装置、  １１１１，１２  ピボット軸、  １３，１４  面、  １６  端部キャップ、  １８側部部材、  ２０  アセンブリ、  ２２  タブ、  ２４  スロット、  ２６  クリップ装置、  ３０  アンビル胴、  ３４，３６  面、  ４２  面、  ４４  切欠、  ４６  カム部材、  ４７  軸、  ５２  ボルト部材、  ５４  ボア、  ５６  面、  ６３  ロッド、  ６２，６４  テーパバー部材、  ６６  ボルト、６７  テーパした側、  ６８，６９  ストッパ、  ７１  くさび部材、  ７２ボルト、  ７４  面、  ８２  シール、  ８４  カバープレート、  ８６  ボルト、  ９２  キーパ部材、  ９４  搬送テープ、  １０２  真空装置、  １１２  ロッド、  １１４  ばねクリップ、  １１５  端部
【図１】
0004340092.tif 000002
【図２】
0004340092.tif 000003
【図３】
0004340092.tif 000004
【図４】
0004340092.tif 000005
【図５】
0004340092.tif 000006
【図６】
0004340092.tif 000007
【図７】
0004340092.tif 000008
【図８】
0004340092.tif 000009
【図９】
0004340092.tif 000010
【図１０】
0004340092.tif 000011
【図１１】
0004340092.tif 000012
【図１２】
0004340092.tif 000013
【図１３】
0004340092.tif 000014
【図１４】
0004340092.tif 000015